(57)【特許請求の範囲】
【請求項１】
空気の吸入口と排出口とを備えており、前記吸入口と前記排出口との間に貫流ファンを設け、かつ、前記吸入口と前記貫流ファンとの間に室内熱交換器を設け、室外機からの冷媒を前記室内熱交換器に導いて吸入空気と熱交換し、当該熱交換した空気を前記排出口から室内に供給する空気調和機用室内ユニットにおいて、少なくとも前記室内熱交換器の一部は、流入する空気流路に対して直角な方向に複数のブロックに分けられ、前記各ブロックには、冷媒通路を形成する冷媒パスが、前記吸入空気の流れの前後方向及び当該流れの方向に垂直な上下方向に、それぞれ、複数が並列に形成されており、かつ、流入する空気流路に対して直角な方向に分けられたこれら複数のブロック間で、前記冷媒パスの少なくとも一部が、前記吸入空気の流れの前後方向及び上下方向において交差していることを特徴とする空気調和機用室内ユニット。
【請求項２】
前記請求項１に記載した空気調和機用室内ユニットにおいて、前記室内熱交換器では、少なくとも３個以上のブロックに分けられており、これら３個以上のブロックの少なくとも2個以上のブロック間で、それらの冷媒パスが交差していることを特徴とする空気調和機用室内ユニット。
【請求項３】
前記請求項１に記載した空気調和機用室内ユニットにおいて、前記室内熱交換器の分けられた各ブロックでは、前記冷媒パスが、流入する空気流路に沿って、少なくとも２列に形成されており、前記複数のブロック間での冷媒パスの交差は、前記２列に形成された冷媒パスの空気流路の下流側において行われていることを特徴とする空気調和機用室内ユニット。
【請求項４】
多数のフィンを積層したコア内に、その内部に冷媒を通流する冷媒管を蛇行させて配置してなる室内熱交換器において、前記コア内を通流する空気流の方向に対して垂直な方向に前記コアを２以上のブロックに分けて、かつ、前記分けられた各ブロック内には、それぞれ、その内部に冷媒を通流する冷媒パスを形成するための冷媒管を独立に、かつ、前記吸入空気の流れの前後方向及び当該流れの方向に垂直な上下方向に、それぞれ複数配設し、さらに、これら分けられた複数のブロック間の一部において、各ブロック内の冷媒管を交差して接続することにより、流入する空気流路に対して直角な方向に分けられた前記複数のブロック間において、前記冷媒パスの一部を、前記吸入空気の流れの前後方向及び上下方向において交差させていることを特徴とする空気調和機用室内ユニットの室内熱交換器。
【請求項５】
前記請求項４に記載した室内熱交換器において、前記複数のブロック間でのパスの交差を行うために前記各ブロック内の冷媒管を交差して接続するための接続管は、前記多数のフィンを積層したコアの一方の側端面だけに設けられていることを特徴とする空気調和機用室内ユニットの室内熱交換器。
【請求項６】
前記請求項４に記載した室内熱交換器において、前記多数のフィンを積層したコアは、少なくとも３個以上のブロックに分けられており、これら３個以上のブロックの少なくとも2個以上のブロック間で、その冷媒パスが交差するように各ブロック内の冷媒管を交差して接続していることを特徴とする空気調和機用室内ユニットの室内熱交換器。
【請求項７】
前記請求項４に記載した室内熱交換器において、前記コアの分けられた各ブロックでは、前記冷媒パスを形成する冷媒管が、流入する空気流路に沿って、少なくとも２列に形成されており、前記複数のブロック間での冷媒パスの交差は、前記２列に形成された冷媒パスの空気流路の下流側での接続管の交差により行われていることを特徴とする空気調和機用室内ユニットの室内熱交換器。
【発明の詳細な説明】
【０００１】
【発明の属する技術分野】
本発明は、室内の空気温度を最適に調和する空気調和機に関し、特に、室内側に配置される空気調和機用室内ユニットとその室内熱交換器に関する。
【０００２】
【従来の技術】
従来、一般的に、ヒートポンプ型空気調和機では、四方弁を介して冷媒の流れ方向を逆転させることによって、暖房時と冷房時で熱交換器内部での冷媒の流れを反対にすることが行われる。すなわち、これにより、冷房時には室内熱交換器を蒸発器として用い、室外熱交換器を凝縮器として用い、他方、冷房時には、上記室内熱交換器を凝縮器として用いる。
【０００３】
ところで、かかる従来の空気調和機では、その室内熱交換器として、例えばアルミニウムの薄板を多数層重ねた板状フィンに複数本のチューブを配列してなる熱交換器を使用している。そして、かかる室内熱交換器に、室外機からの冷媒を供給して室内の空気との間で熱交換を行わせるが、特に、かかる室内熱交換器では、その入口側と出口側における冷媒の液相から気相への、あるいは、気相から液相への変化に起因するチューブ内流路面積の変化に伴い、室内熱交換器の冷媒流路を形成するチューブ内での冷媒の流速が変化する。
【０００４】
そこで、かかる冷媒の流速の変化を解消するため、例えば特開平６−１２９７３２号公報などに示されるように、この室内熱交換器を複数のブロックに分割し、これら各ブロックに対して入口側流路管を複数並列に設けて、いわゆる、多パス構造としたものが既に知られている。
【０００５】
また、例えば、実開平６−５５０６７号公報によれば、空調用熱交換器のコアに複数の冷媒流路を、空気の通流方向に対して直行する方向に、独立して配置し、これら冷媒流路の途中を混合部により連結することにより、各冷媒流路中を気液二相状態で流通する冷媒に蒸発度（渇き度）の差が生じることを防止する構造が知られている。
【０００６】
【発明が解決しようとする課題】
しかしながら、上述した従来技術では、未だ、以下のような問題点が指摘されている。すなわち、例えば、家庭用の空気調和機（エアコンディショナー）などにおいては、特に室内機の大幅な小型化と共に、室内熱交換器の熱交換面積の増大による高効率化が図られており、これに伴って、室内機内での室内熱交換器の配置も制約されており、その位置によっては、この室内熱交換器を熱交換のために通過する空気の流速にも高速部と低速部とが生じてしまう。そして、このように、室内熱交換器の通流空気流速に差異が生じた場合、室内熱交換器の各部における熱交換効率にも差異が生じてしまい、室内機の熱交換器全体の熱交換効率にも悪影響を与えてしまうという問題点があった。
【０００７】
また、上記後者の従来技術に記載された空調用熱交換器の構造では、その構造から、熱交換器の風上側と風下側における熱交換効率の差異を解消することは出来るものの、しかしながら、熱交換器の通風方向に直角な、上下左右の方向における空気流速の差異に対しては、これを解消することが出来ず、そのため、未だ、室内機の熱交換器全体の熱交換効率を十分に向上することは出来ないという問題点があった。
【０００８】
そこで、本発明は、上記従来技術における問題点に鑑み、室内熱交換器を熱交換のために通過する空気の流速に差異が生じた場合においても、室内機の熱交換器全体の熱交換効率に悪影響を与えることなく、もって、熱交換器全体の熱交換効率を向上することの可能な空気調和機用室内ユニットとその室内熱交換器を提供することをその目的とする。
【０００９】
【課題を解決するための手段】
かかる上記目的を達成するため、本発明によれば、空気の吸入口と排出口とを備えており、前記吸入口と前記排出口との間に貫流ファンを設け、かつ、前記吸入口と前記貫流ファンとの間に室内熱交換器を設け、室外機からの冷媒を前記室内熱交換器に導いて吸入空気と熱交換し、当該熱交換した空気を前記排出口から室内に供給する空気調和機用室内ユニットにおいて、少なくとも前記室内熱交換器の一部は、流入する空気流路に対して直角な方向に複数のブロックに分けられ、前記各ブロックには、冷媒通路を形成する冷媒パスが、前記吸入空気の流れの前後方向及び当該流れの方向に垂直な上下方向に、それぞれ、複数が並列に形成されており、かつ、これら複数のブロック間で、前記冷媒パスの少なくとも一部が、前記吸入空気の流れの前後方向及び上下方向において交差している空気調和機用室内ユニットが提供される。
【００１０】
また、本発明によれば、前記に記載した空気調和機用室内ユニットにおいて、前記室内熱交換器では、少なくとも３個以上のブロックに分けられており、これら３個以上のブロックの少なくとも2個以上のブロック間で、それらの冷媒パスが交差している。
【００１１】
さらに、本発明によれば、前記に記載した空気調和機用室内ユニットにおいて、前記室内熱交換器の分けられた各ブロックでは、前記冷媒パスが、流入する空気流路に沿って、少なくとも２列に形成されており、前記複数のブロック間での冷媒パスの交差は、前記２列に形成された冷媒パスの空気流路の下流側において行われている。
【００１２】
また、本発明によれば、やはり上記の目的を達成するため、多数のフィンを積層したコア内に、その内部に冷媒を通流する冷媒管を蛇行させて配置してなる室内熱交換器において、前記コア内を通流する空気流の方向に対して垂直な方向に前記コアを２以上のブロックに分けて、かつ、前記分けられた各ブロック内には、それぞれ、その内部に冷媒を通流する冷媒パスを形成するための冷媒管を独立に、かつ、前記吸入空気の流れの前後方向及び当該流れの方向に垂直な上下方向に、それぞれ複数配設し、さらに、これら分けられた複数のブロック間の一部において、各ブロック内の冷媒管を交差して接続することにより、前記複数のブロック間で冷媒パスを、前記吸入空気の流れの前後方向及び上下方向において交差させている空気調和機用室内ユニットの室内熱交換器が提供される。
【００１３】
また、本発明では、前記に記載した室内熱交換器において、前記複数のブロック間でのパスの交差を行うために前記各ブロック内の冷媒管を交差して接続するための接続管は、前記多数のフィンを積層したコアの一方の側端面だけに設けられている。
【００１４】
さらに、本発明では、前記に記載した室内熱交換器において、前記多数のフィンを積層したコアは、少なくとも３個以上のブロックに分けられており、これら３個以上のブロックの少なくとも2個以上のブロック間で、その冷媒パスが交差するように各ブロック内の冷媒管を交差して接続している。
【００１５】
加えて、前記に記載した室内熱交換器において、前記コアの分けられた各ブロックでは、前記冷媒パスを形成する冷媒管が、流入する空気流路に沿って、少なくとも２列に形成されており、前記複数のブロック間での冷媒パスの交差は、前記２列に形成された冷媒パスの空気流路の下流側での接続管の交差により行われている。
【００１６】
【発明の実施の形態】
以下、本発明の実施の形態について、添付の図面を参照しながら説明する。
まず、図２は上記室内ユニットを含むヒ−トポンプ型空気調和機の冷凍サイクル構成図であり、この図２において、符号２０は室内ユニット、符号１０は室外ユニットである。これら室内外ユニット１０、２０は、いわゆる、配管ユニット２７によって接続されている。また、室内ユニット２０は、その内部に、室内熱交換器２１及び室内貫流ファン２４を備えている。
【００１７】
なお、この室内熱交換器２１は、図からも明らかなように、複数の熱交換器小部２２ａ及び熱交換器小部２２ｂとから構成されている。また、前記室内熱交換器２１の主熱交換器２２を構成する熱交換器小部２２ａ及び熱交換器小部２２ｂは、それぞれ、通常の熱交換器と同様に、所定の狭い間隔を置いて並置された多数の伝熱フィンと、この伝熱フィンに直角に挿入嵌合され、その内部を冷媒が流動する多数の伝熱管とによって構成されている。
【００１８】
これら多数の伝熱管は、図示しないが、互いにベンド等により接続されており、これにより冷媒パスを構成している。さらに、これら冷媒パスは、図にも示すように、絞り機構２５を挟んで、前記上面側熱交換器小部２２ａに含まれる第一パスと、前記前面側熱交換器小部２２ｂに含まれる第二パスとに別れている。すなわち、これら熱交換器小部２２ａ及び２２ｂは、互いに独立した別体の熱交換器を構成しており、かつ、除湿運転時には、それぞれ、加熱器２２ａそして冷却除湿器２２ｂとして作用するように配管接続されている。
【００１９】
一方、室外ユニット１０は、室外熱交換器１３及びファン１７を備えている。その冷凍サイクルは、冷媒圧縮器１１から、四方弁１２、室外熱交換器１３、減圧器１６を通り、さらには、冷媒配管２７を介して前記室内熱交換器２１へ接続されて構成され、その内部を冷媒が循環するように構成されている。なお、この図２において、実線の矢印４１は暖房運転時の、一方、破線の矢印４２は冷房運転時の冷媒の流れる方向を示している。また、図中の矢印２６は、上記室内ユニット２０における気流を、そして、矢印１８は室外ユニット１０における気流（空気流）を示している。
【００２０】
ここで、図３は本発明の一実施の形態になる空気調和機用室内ユニットの内部構成を示す横断面図である。この図にも示すように、この室内ユニット２０は、箱体２０１内に配置された室内熱交換器２１、貫流ファン２４、及び、ファンケーシング２０２を備えている。さらに、この室内ユニット２０では、上記箱体２０１の上部には上部吸込み口２０３が、その前面には前面吸込み口２０４が設けられており、一方、その下部には吹き出し口２０５が設けられている。なお、図中の符号１２０は、回動可能な風向板を示している。また、図中の符号２６は、上記室内熱交換器２１の下端部において、前面吸込み口２０４からの吸入空気を貫流ファン２４へ導くと共に、前記吹き出し口２０５との間を区切る突起部である、いわゆる、ファンノーズを示している。
【００２１】
そして、この空気調和機用室内ユニットにおいては、上記室内熱交換器２１は、２つの主熱交換器２２ａ、２２ｂから構成され、一方の上面側主熱交換器２２ａは、除湿運転時には加熱器となるべき冷媒回路を構成してなる逆Ｖ字型熱交換器小部であり、他方の前面側主熱交換器２２ｂは、除湿運転時には除湿冷却器となるべき冷媒回路を構成してなる下部熱交換器小部である。
【００２２】
かかる室内熱交換器２１は、前述したように、多数積層された伝熱フィン１００の伝熱管挿通用穴１０１にヘアピン曲げされた伝熱管１０２を挿通固着して構成されている。また、これら伝熱管１０２はベンドパイプ１０３やＹ字型分岐管１０４、あるいは、Ｔ字型分岐管１０５等を介して配管１０６で連接されており、これにより冷媒流路を形成している。より具体的に説明すると、本実施の形態では、上面側熱交換器小部２２ａの冷媒流路は、暖房運転時に冷媒出口となる風上側列の大部分が１パス（経路）で構成され、残りは２パス（並列２経路）に構成されている。一方、前面側熱交換器小部２２ｂの冷媒流路は３パス（並列３経路）で構成されている。
【００２３】
そして、これら熱交換器小部２２ａ、２２ｂは、それぞれ、別体をなして構成されており、すなわち、図にも明らかなように、これら上面側及び前面側の熱交換器小部２２ａ、２２ｂは、互いに、フィン１００が分離され、もって、互いに熱的にも分離されて構成されている。なお、これら熱交換器小部２２ａ、２２ｂの間には、絞り機構２５が配置されており、この絞り機構２５を介して、熱交換器小部２２ａ、２２ｂは互いに配管接続されている。また、上記貫流ファン２４の上部に設けた逆Ｖ字状に配置されてた熱交換器小部２２ａの一部、すなわち、逆Ｖ字の背面下向き傾斜部を構成しているフィン１００には、熱的に分離できるように、符号１１０の分離スリットが設けられている。
【００２４】
なお、上記空気調和機用室内ユニットの冷媒流路内における冷媒の流れは、例えば冷房運転時には、室外熱交換器で凝縮液化した冷媒は、絞り機構１６（図２参照）を経て低温の気液二相冷媒となり室内熱交換器に２１流入する。この室内熱交換器２１に流入した気液二相冷媒は、まず、上面側熱交換器小部２２ａの１パスの冷媒通路を、貫流ファン２４によって流れる室内空気とフィン１００を介して熱交換しながら流れ、Ｔ字型分岐管１０５に至り、ここで２パスに分流した後、さらに、室内空気と熱交換して蒸発気化し、気相冷媒の割合を増しながら絞り機構部２５に至る。なお、この絞り機構部２５は冷房運転時には通路抵抗とならないよう全開に設定されている。
【００２５】
この絞り機構部２５から流出した冷媒は、さらに、室内空気と熱交換しながら分配器１０４を介して３パスに分岐して前面側熱交換器小部２２ｂに至る。そして、これら上面側及び前面側の熱交換器小部２２ａ、２２ｂにおいて、冷媒との熱交換によって冷却された室内空気は、上記貫流ファン２４を介して被空調室内へ吹き出されて室内空気の冷房に供せられる。
【００２６】
また、上記に構成を説明したヒ−トポンプ型空気調和器における冷凍サイクルの動作について述べると、図２に示したヒ−トポンプ型空気調和機の冷凍サイクル構成において、暖房運転時には、上記室外ユニット１０の圧縮器１１から吐出される高温・高圧の冷媒ガスは、実線の矢印４１で示すように、四方弁１２および冷媒配管２７を通って、凝縮器として作用する上記室内ユニット２０の室内熱交換器２１へ送られ、室内貫流ファン２４によって送風される空気によって冷やされて（空気と熱交換し）、高圧・低温の液冷媒となる。この冷やされて高圧・低温の液となった冷媒は、冷媒配管２７を通って上記室外ユニット１０へ戻り、減圧器１６によって減圧膨張され、これにより低圧・低温の冷媒となって蒸発器として作用する室外側熱交換器１３へ流入する。
【００２７】
この室外側熱交換器１３へ流入する冷媒は、室外ファン１７によって送風された空気によって加熱されて蒸発した後、四方弁１２を通って圧縮機１１に戻り、ここで再び圧縮され、上記の循環サイクルを繰り返す。なお、この時、室内熱交換器２１では、高温・高圧の冷媒ガスにより加熱された空気を被空調室内に放出して、室内の暖房を行うこととなる。
【００２８】
これに対して、冷房運転時には、室外ユニット１０の圧縮機１１から吐出される高圧・高温の冷媒ガスは、破線矢印４２で示すように、四方弁１２を通って凝縮器として作用する室外側熱交換器１３へ送られ、室外ファン１７によって送風された空気によって冷され、高圧・低温の液冷媒となり、減圧器１６によって減圧膨張され、低圧・低温の冷媒となって冷媒配管２７を通り、蒸発器として作用する室内ユニット２０の室内側熱交換器２１へ流入し、室内ファン２４によって送風された空気によって加熱されて蒸発した後、冷媒配管２７を通って室外ユニット１０の四方弁１２を通って圧縮機１１に戻り、ここで再び圧縮されて上記の循環サイクルを繰り返す。なお、この時室内熱交換器２１では、低圧・低温の冷媒により冷却された空気を被空調室内に放出して冷房を行う。
【００２９】
ところで、上記空気調和機用室内ユニット内における室内熱交換器２１、特に、その冷媒流路が３パス（並列３経路）で構成されている前面側熱交換器小部２２ｂにおける空気の通流量、あるいは、通流速度は、添付の図４に矢印で示すようになる。すなわち、前面側熱交換器小部２２ｂを通流する空気は、貫流ファン２４による吸引作用により、その全体においてはほぼ均一の通流速度（高速部）を示す。しかしながら、図示の室内ユニット内部の構造からも明らかなように、特に、貫流ファン２４に向かって突出して形成されているファンノーズ２６により、このファンノーズ２６の近傍に配置される、上記前面側熱交換器小部２２ｂの下部において、その流速が遅くなる（低速部）。換言すれば、このファンノーズ２６近傍での空気流速の遅延により、上記前面側熱交換器小部２２ｂの通流空気流に流速分布が生じることとなる。
【００３０】
このように、熱交換器の一部において通流空気の流速に差異が生じた場合、その流速に比例して、熱交換器の各部分（要素）間での熱負荷が変化してしまうこととなり、これでは、上記にも指摘したように、室内熱交換器の各部における熱交換効率にも差異が生じてしまい、室内機の熱交換器全体の熱交換効率にも悪影響を与えてしまう。
【００３１】
そこで、本発明では、上記の発明者らにより確認された上記の認識に基づいて、すなわち、熱交換器の一部における空気の流速（通流空気量）における差異による熱交換器全体の熱交換効率の低下を解消するため、図1にも示すような熱交換器の構造を提供するものである。
【００３２】
すなわち、図1にも示すように、室内熱交換器、特に、前面側熱交換器小部２２ｂは、一般の熱交換器と同様に、例えばアルミニウムの薄板からなるフィン１００を多数積層したコア１５０内に、その内部に冷媒を通流するチューブである伝熱管１０２を蛇行させて配置し、構成されている。なお、このフィン１００を多数積層したコア１５０は、その内部を通流する空気流の方向に対して垂直な方向に、複数のブロックに分割されており、上記伝熱管１０２は、それぞれ、分割された各ブロック内に独立して、空気流の方向に沿って複数列に配設されている。なお、この図1に示す例では、コア１５０は、図の縦方向に、破線で示すように、上段、中段、下段の３つのブロックに分けられ、Ｕ字状に湾曲した伝熱管１０２が、空気流の方向に沿って２列に配設されている。そして、室外機１０からの冷媒は、Ｙ字型分岐管１０４を介して３つに分けられ、それぞれ、上記３つのブロックのそれぞれのパス（３パス）を形成する伝熱管１０２へと導かれている。
【００３３】
そして、本発明によれば、上記室内熱交換器の各部における熱交換効率における差異を解消するため、これら複数のブロック間で、そのパスを交差させている。より具体的には、上記の図１にも明らかなように、上段のブロックを構成する上記伝熱管１０２は、そのまま、空気流の方向に沿って、上段ブロックの後段の伝熱管１０２へ導かれるが、しかしながら、中段と下段のブロックを構成する上記伝熱管１０２は、気流方向の前列の伝熱管１０２から後列の伝熱管１０２へ移動する際、そのパスを交差している。すなわち、中段ブロックの伝熱管１０２は、途中の接続管（伝熱管と伝熱管との間を接続する管状部材）により、下段ブロックのパスである後列の伝熱管１０２へ導かれ、また、下段ブロックの伝熱管１０２は、途中の接続管により、中段ブロックのパスである後列の伝熱管１０２へ導かれている。
【００３４】
このように、空気流路に対して直角な方向に複数のブロックに分割されてそれぞれのパスが形成された室内熱交換器において、空気の流速（通流空気量）に差異のある部分を含む複数のブロック間で、そのパスを互いに交差するように配管を施すことにより、熱交換器の一部における空気流速の差異による熱交換効率の不均一（バラツキ）に起因する熱交換器全体の熱交換効率の低下を解消し、熱交換器全体の熱交換効率を向上することが可能となる。
【００３５】
続いて、添付の図５〜図７には、本発明の他の実施の形態になる熱交換器の構造が示されており、特に、そのパスを互いに交差する配管構造を示す側面図が示されている。
【００３６】
まず、図５には、空気流路に対して直角な方向に２つの（上下段）ブロックに分割され、かつ、空気流路に沿って2列にパスを施した熱交換器の構造が示されており、この場合には、図からも明らかなように、上段のパスに導入された冷媒は、第1列目のパスを通過した後に、下段の第２列目のパスを通過し、一方、下段のパスに導入された冷媒は、その第1列目のパスを通過した後に、上段の第２列目のパスを通過し、これにより、熱交換器の上下段ブロックにおける熱交換効率の不均一を解消する。
【００３７】
次に、図６には、上記図1に示したと同様に、空気流路に対して直角な方向に３つの（上中下段）ブロックに分割されているが、しかしながら、空気流路に沿って設けられるパスの数を３列に施した熱交換器の構造が示されている。そして、この場合にも、図からも明らかなように、上段のパスに導入された冷媒は、その第1列目から第３列目のパスを通過するが、中段のパスに導入された冷媒は、途中で下段のパスと交差される。具体的には、中段のパスに導入された冷媒は、第２列目のパスにおいて下段のブロックへ接続され、その後、下段ブロックの第３列目のパスを通過して熱交換器から排出される。一方、下段のパスに導入された冷媒は、第２列目のパスにおいて中段のブロックへ接続され、その後の、中段ブロックの第３列目のパスを通過して熱交換器から排出される。このように、この実施の形態においても、ブロック間のパスの交差により、熱交換器の一部、ここでは、その中段ブロックと下段ブロックにおける熱交換効率の不均一を解消することとなる。
【００３７】
なお、上記の実施の形態の説明では、室外機からの冷媒の流れる冷媒通路であるパスの交差を、中段ブロックと下段ブロックとの間で行うものとして説明したが、しかしながら、本発明ではこれにのみ限定されることなく、例えば、これら上中下段の全段間でそのパスの交差を行うことも可能である。また、パスの交差についても、上記実施の形態の説明では、第２列目において、これを行うものとして説明しているが、本発明ではこれにのみ限定されることなく、例えば、第３列目でパスの交差を行うように接続管を交差させることも、あるいは、第２列目と第３列目でそれぞれ交差させることも可能である。
【００３８】
さらに、上記の実施の形態では、室外機から供給される冷媒の冷媒通路であるパスの数を２パス、あるいは、３パスにしたものについてのみ説明したが、本発明はこれのみに限定することなく、これを、例えば添付の図７及び図８に示すように、このパス数を４個にすることも可能である。
【００３９】
すなわち、図７に示す実施の形態では、図の左側の矢印からも明らかなように、熱交換器の上部と下部で風速の分布にアンバランスがある場合に有効である。そして、特に、この実施の形態では、冷媒通路抵抗を低減するために、上記の３パスから４パスに増やしている。また、ここでは、上部側のパスＡ、Ｂの一部（パスＢ）と、下部のパスＣ、Ｄの一部（パスＤ）とを交差することにより、上部側のパスＡ、Ｂと下部のパスＣ、Ｄにおける冷媒加熱量が平均化されるので、複数のパス間におけるパスバランスが改善されることとなる。
【００４０】
また、図８に示す実施の形態では、図の左側の矢印からも明らかなように、熱交換器の下端部に局所的に風速のバランスが生じている場合に好適な構成であり、上記と同様に冷媒通路抵抗を低減するために４パス、３列とし、さらに、一番下側のパス（パスＤ）とその上側のパス（パスＣ）とを交差することによって、上記の風速アンバランスに基づく冷媒加熱量のアンバランスが平均化されるので、前記実施の形態と同様にパスバランスが改善されることとなる。
【００４１】
また、上記の実施の形態からも明らかなように、複数のブロック間でのパスの交差を行うため管を交差して接続するための接続管は、多数のフィンを積層したコア１５０の一方の側端面だけに設けられており、これにより、上記伝熱管１０２の間の接続管の接続作業が行い易い。また、そのための構造としても、コア１５０の一方の側端面の接続管が重なるだけであり、コア１５０自体の寸法も大きくならない。
【００４２】
【発明の効果】
以上の詳細な説明からも明らかなように、本発明になる空気調和機用室内ユニットとその室内熱交換器によれば、特に、室内機の大幅な小型化に伴って室内熱交換器を通過する空気の流速に差異が生じた場合においても、これを均一化して、もって、室内機の熱交換器全体の熱交換効率に悪影響を与えることなく、熱交換器全体の熱交換効率を向上することが可能となる。
【図面の簡単な説明】
【図１】本発明の実施の形態になる空気調和機用室内ユニットの室内熱交換器の特徴となる構造を示す、室内熱交換器の一部拡大斜視図である。
図である。
【図２】上記本発明の空気調和機用室内ユニットを含む冷凍サイクルの全体構成図である。
【図３】上記本発明の空気調和機用室内ユニットの内部構成を示す断面図である。
【図４】空気調和機用室内ユニットにおける室内空気流の流速分布を示した、上記室内ユニットの断面図である。
【図５】本発明の他の実施の形態になる空気調和機用室内ユニットの２パスの室内熱交換器を示す側面図である。
【図６】本発明のさらに他の実施の形態になる空気調和機用室内ユニットの３パスの室内熱交換器を示す側面図である。
【図７】本発明の更に他の実施の形態になる空気調和機用室内ユニットの４パスの室内熱交換器を示す側面図である。
【図８】本発明の更に他の実施の形態になる空気調和機用室内ユニットの４パス、３列の室内熱交換器を示す側面図である。
【符号の説明】
１０  室外ユニット
２０  室内ユニット
２１  室内熱交換器
２２ｂ  熱交換器小部
２０４  前面吸込み口
２０５  吹き出し口
２４  貫流ファン
２６  ファンノーズ
１００  フィン
１０２  伝熱管（接続管）
１０４  Ｙ字型分岐管
１５０  コア
【図１】
0003833351.tif 000002
【図２】
0003833351.tif 000003
【図３】
0003833351.tif 000004
【図４】
0003833351.tif 000005
【図５】
0003833351.tif 000006
【図６】
0003833351.tif 000007
【図７】
0003833351.tif 000008
【図８】
0003833351.tif 000009